(57)【要約】【課題】他方の貯蔵室を一方の貯蔵室からの光で照明すること。【解決手段】実施例の冷蔵庫は、仕切壁を介して互いに隣接するものであって扉をそれぞれに有する２つの貯蔵室と、２つの扉のうちの一方に設けられた被検出部と、２つの扉のうちの他方に設けられたものであって２つの扉間の相対的な位置関係に応じて被検出部を検出している検出状態または検出していない非検出状態となる非接触形の検出器と、２つの貯蔵室のうちの一方を照明するものであって検出器の状態に応じて制御される照明器を備えたものであり、２つの貯蔵室のうちの他方には照明器から仕切壁を通して光が照射される。【選択図】図２
2017072335.tif 000002
【特許請求の範囲】
【請求項１】
仕切壁を介して互いに隣接するものであって、扉をそれぞれに有する２つの貯蔵室と、
前記２つの扉のうちの一方に設けられた被検出部と、
前記２つの扉のうちの他方に設けられたものであって、前記２つの扉間の相対的な位置関係に応じて前記被検出部を検出している検出状態または検出していない非検出状態となる非接触形の検出器と、
前記２つの貯蔵室のうちの一方を照明するものであって、前記検出器の状態に応じて制御される照明器を備え、
前記２つの貯蔵室のうちの他方には、前記照明器から前記仕切壁を通して光が照射される冷蔵庫。
【請求項２】
前記他方の貯蔵室に応じた他方の扉には、食品容器が設けられ、
前記食品容器内には、前記他方の扉が前記他方の貯蔵室を開放する方向へ最大限に操作された前記他方の扉の限度状態で前記照明器からの光が前記仕切壁を通して照射される請求項１に記載の冷蔵庫。
【請求項３】
前記食品容器には、前記他方の扉の限度状態で前記照明器からの光を内部に取込むための採光部が設けられている請求項２に記載の冷蔵庫。
【請求項４】
前記２つの貯蔵室は、前記仕切壁を介して上下方向に隣接するものであり、
前記照明器は、前記２つの貯蔵室のうち上側に設けられている請求項１から３のいずれかに記載の冷蔵庫。
【請求項５】
前記上側の貯蔵室内に設けられたものであって、上下方向に並ぶ複数の棚板と、
前記上側の貯蔵室に応じた上側の扉に設けられたものであって、上下方向に並ぶ複数の食品ポケットを備え、
前記上側の扉の閉鎖状態では、前記複数の棚板および前記複数の食品ポケット間に縦長な空間状の光通路が形成され、
前記仕切壁には、前記光通路に一部または全部が面する透光部が設けられている請求項４に記載の冷蔵庫。
【請求項６】
前記上側の貯蔵室に応じた上側の扉に設けられたものであって、上下方向に並ぶ複数の食品ポケットと、
前記上側の扉の左または右に設けられたものであって、前記上側の貯蔵室を前記上側の扉と協働して閉鎖する別の扉と、
前記別の扉に設けられたものであって、上下方向に並ぶ複数の食品ポケットを備え、
前記上側の扉および前記別の扉の閉鎖状態では、前記上側の扉の複数の食品ポケットおよび前記別の扉の複数の食品ポケット間に縦長な空間状の光通路が形成され、
前記仕切壁には、前記光通路に一部または全部が面する透光部が設けられている請求項４に記載の冷蔵庫。
【請求項７】
前記仕切壁には、前記照明器から前記他方の貯蔵室に光を拡散して照射する光拡散部を備えた透光部が設けられている請求項１から６のいずれかに記載の冷蔵庫。
【請求項８】
前記仕切壁には、前記仕切壁を介することなく前記他方の貯蔵室を照明する別の照明器が設けられている請求項１から７のいずれかに記載の冷蔵庫。
【発明の詳細な説明】
【技術分野】
【０００１】
実施例は冷蔵庫に関する。
【背景技術】
【０００２】
冷蔵庫には仕切壁を介して互いに隣接する２つの貯蔵室を備えたものがある。この冷蔵庫の場合には一方の貯蔵室内に照明器が設けられており、一方の貯蔵室に応じた一方の扉が開放された場合に照明器を点灯状態とすることで一方の貯蔵室内を照明している。
【先行技術文献】
【特許文献】
【０００３】
【特許文献１】特開平１０−３００３３８号公報
【発明の概要】
【発明が解決しようとする課題】
【０００４】
上記従来の冷蔵庫の場合には他方の貯蔵室に応じた他方の扉の開放状態で他方の貯蔵室内を居室内の明りのみで照明しており、他方の貯蔵室内が暗くて見難いことがあった。
【課題を解決するための手段】
【０００５】
実施例の冷蔵庫は、仕切壁を介して互いに隣接するものであって扉をそれぞれに有する２つの貯蔵室と、前記２つの扉のうちの一方に設けられた被検出部と、前記２つの扉のうちの他方に設けられたものであって前記２つの扉間の相対的な位置関係に応じて前記被検出部を検出している検出状態または検出していない非検出状態となる非接触形の検出器と、前記２つの貯蔵室のうちの一方を照明するものであって前記検出器の状態に応じて制御される照明器を備えたものであり、前記２つの貯蔵室のうちの他方には前記照明器から前記仕切壁を通して光が照射される。
【図面の簡単な説明】
【０００６】
【図１】実施例１を示す図（冷蔵庫の内部構成を示す断面図）
【図２】冷蔵庫の外観を示す図
【図３】実施例２を示す図（冷蔵庫の内部構成を示す断面図）
【図４】実施例３を示す図（冷蔵庫の内部構成を示す断面図）
【図５】実施例４を示す図（冷蔵庫の内部構成を示す断面図）
【発明を実施するための形態】
【実施例１】
【０００７】
図１のキャビネット１は外箱および内箱間に断熱材を介在してなるものであり、断熱性を有している。このキャビネット１は前面が開口するものであり、キャビネット１内には冷蔵室２および野菜室３が形成されている。これら冷蔵室２および野菜室３は水平な非断熱性の仕切壁４を挟んで上下方向に隣接するものであり、冷蔵室２は一方の貯蔵室および上側の貯蔵室に相当し、野菜室３は他方の貯蔵室に相当する。この仕切壁４は有色不透明な合成樹脂を材料とするものであり、キャビネット１内に固定されている。
【０００８】
キャビネット１には冷凍サイクルおよびファン装置が装着されている。冷凍サイクルはコンプレッサとコンデンサとエバポレータを有するものであり、冷気を生成する。ファン装置はファンモータの回転軸にファンを固定したものであり、冷凍サイクルが生成した冷気を冷蔵室２内および野菜室３内に送風する。
【０００９】
冷蔵室２内には、図１に示すように、複数の棚板５が装着されている。これら複数の棚板５のそれぞれは水平なものであり、上下方向に互いに隙間を介して配置されている。これら複数の棚板５のそれぞれは食品が載せられるものであり、無色透明な合成樹脂を材料に成形されている。
【００１０】
冷蔵室２内には、図１に示すように、チルドスペース６が形成されている。このチルドスペース６は仕切壁４および最下段の棚板５間の空間部を称するものであり、チルドスペース６内には無色透明な合成樹脂製のチルドケース７が収納されている。このチルドケース７はチルドスペース６の前面を通して前へ引出されるものであり、チルドスペース６の前面を通して後へ押込まれる。このチルドケース７は上面が開口する四角箱状をなすものであり、チルドケース７内には食品が収納される。
【００１１】
キャビネット１には、図２に示すように、Ｒドア８が装着されている。このＲドア８は右端部の垂直な軸９を中心に閉鎖状態および開放状態間で回転可能にされたものであり、閉鎖状態で冷蔵室２の前面を気密状態に閉鎖する。このＲドア８は他方の扉および上側の扉に相当するものであり、Ｒドア８の開放状態とはＲドア８が冷蔵室２の前面を開放する開放方向へ最大限に回転操作された状態を称する。
【００１２】
Ｒドア８には、図１に示すように、複数のドアポケット９が固定されている。これら複数のドアポケット９のそれぞれは無色透明な合成樹脂を材料とするものであり、Ｒドア８の閉鎖状態での後面に配置されている。これら複数のドアポケット９のそれぞれは食品が収納されるものであり、上面が開口している。これら複数のドアポケット９のそれぞれは食品ポケットに相当するものであり、上下方向に互いに隙間を介して配置されている。
【００１３】
冷蔵室２内には、図１に示すように、光通路１０が形成されている。この光通路１０はＲドア８の閉鎖状態で形成されるものであり、複数のドアポケット９および複数の棚板５間の隙間を称する。この光通路１０は冷蔵室２の底面から天井面まで繋がる縦長なものであり、Ｒドア８の閉鎖状態で複数のドアポケット９のそれぞれの後端面が棚板５の前端面に比べて前に位置するように棚板５およびドアポケット９の前後方向の寸法を設計することで設定されている。
【００１４】
キャビネット１には、図１に示すように、Ｖドア１１が装着されている。このＶドア１１は閉鎖状態（実線参照）および開放状態（二点鎖線参照）間で前後方向へ移動可能にされたものであり、閉鎖状態で野菜室３の前面を気密状態に閉鎖する。このＶドア１１は一方の扉に相当するものであり、Ｖドア１１の開放状態はＶドア１１が野菜室３の前面を開放する開放方向へ最大限に操作された限度状態に相当する。
【００１５】
Ｖドア１１には、図１に示すように、野菜容器１２が装着されている。この野菜容器１２は有色不透明な合成樹脂を材料とするものであり、食品容器に相当する。この野菜容器１２は上面が開口する四角箱状をなすものであり、前板と後板と左板と右板と底板を有している。この野菜容器１２は食品が投入されるものであり、Ｖドア１１の閉鎖状態で野菜室３内に全てが収納された収納状態（実線参照）となる。この野菜容器１２はＶドア１１の開放状態で野菜室３内から全てが前に引出された引出し状態（二点鎖線参照）となるものであり、Ｖドア１１が閉鎖状態に比べて前で開放状態に比べて後にある場合には野菜室３内から一部が前に引出された引出し途中状態となる。
【００１６】
Ｒドア８内には、図２に示すように、ドアセンサ１３が固定されている。このドアセンサ１３はＲドア８内のうち軸９とは反対側の左端部に配置されたものであり、Ｒドア８内の下端部に配置されている。このドアセンサ１３はホールＩＣからなるものであり、検出領域が上から下へ向く下向きの姿勢で配置されている。このドアセンサ１３は検出器に相当する。
【００１７】
Ｖドア１１内には、図２に示すように、永久磁石１４が固定されている。この永久磁石１４はＶドア１１内の左端部に配置されたものであり、Ｖドア１１内の上端部に配置されている。この永久磁石１４はＲドア８およびＶドア１１の双方の閉鎖状態でドアセンサ１３の検出領域内に進入するものであり、Ｒドア８およびＶドア１１の双方の閉鎖状態ではドアセンサ１３が永久磁石１４を検出することに応じて電気的なオン状態となる。この永久磁石１４は被検出部に相当し、ドアセンサ１３のオン状態は検出状態に相当する。
【００１８】
永久磁石１４はＲドア８およびＶドア１１の双方の閉鎖状態のみでドアセンサ１３の検出領域内に進入するものであり、Ｒドア８およびＶドア１１の一方の非閉鎖状態ではドアセンサ１３の検出領域外となり、Ｒドア８およびＶドア１１の双方の非閉鎖状態でもドアセンサ１３の検出領域外となる。これらＲドア８およびＶドア１１のそれぞれの非閉鎖状態とは閉鎖状態に比べて開放方向へ操作された状態であり、開放状態を含む。
【００１９】
ドアセンサ１３はＲドア８およびＶドア１１の一方の非閉鎖状態で永久磁石１４を検出できずに電気的なオフ状態となるものであり、Ｒドア８およびＶドア１１の双方の非閉鎖状態でも永久磁石１４を検出できずにオフ状態となる。このドアセンサ１３のオフ状態は非検出状態に相当する。
【００２０】
冷蔵室２内には、図１に示すように、天井灯１５が固定されている。この天井灯１５は冷蔵室２内を照明するためのものであり、冷蔵室２の天井面のうち光通路１０に面する部分に配置されている。この天井灯１５は上から下へ白色光を投射するものであり、天井灯１５から投射された光は光通路１０内を上から下へ進む。この天井灯１５はＬＥＤからなるものであり、照明器に相当する。
【００２１】
冷蔵室２内には、図１に示すように、チルド灯１６が固定されている。このチルド灯１６はチルドケース７内を照明するためのものであり、チルドスペース６内の後端部に配置されている。このチルド灯１６は後から前へ斜め下に向けて白色光を投射するものであり、チルド灯１６から投射された光はチルドケース７を通して前へ進む。このチルド灯１６はＬＥＤからなるものであり、照明器に相当する。
【００２２】
仕切壁４には、図１に示すように、窓１７が固定されている。この窓１７は仕切壁４のうち光通路１０に面する部分に配置されたものであり、天井灯１５および窓１７間は光通路１０を介して対向配置されている。この窓１７は一部が光通路１０に面するものであり、窓１７のうち光通路１０に面する一部を除いた残り部分は棚板５またはドアポケット９に下から対向配置されている。この窓１７は無色透明な透光性を有するものであり、天井灯１５からの光およびチルド灯１６からの光のそれぞれは窓１７を透過して野菜室３内を照明する。この窓１７は透光部に相当する。
【００２３】
ドアセンサ１３は制御回路に接続されている。この制御回路はキャビネット１に装着されたものであり、ＣＰＵとＲＯＭとＲＡＭを有している。この制御回路は天井灯１５およびチルド灯１６をドアセンサ１３の電気的な状態に応じて制御するものであり、下記［１］〜［４］は制御回路の処理内容である。
［１］Ｒドア８およびＶドア１１の双方の閉鎖状態ではドアセンサ１３がオン状態となる。このドアセンサ１３のオン状態では制御回路が天井灯１５およびチルド灯１６を消灯状態とする。冷蔵室２は天井灯１５およびチルド灯１６のみを電気的な照明手段として備えたものであり、天井灯１５およびチルド灯１６の消灯状態では冷蔵室２内が照明されない。野菜室３および野菜容器１２のそれぞれは専用の照明手段を備えておらず、天井灯１５およびチルド灯１６の消灯状態では野菜室３内および野菜容器１２内も照明されない。
［２］Ｖドア１１の閉鎖状態でＲドア８が非閉鎖状態とされた場合にはドアセンサ１３がオフ状態となる。このドアセンサ１３のオフ状態では制御回路が天井灯１５およびチルド灯１６を点灯状態とする。これら天井灯１５およびチルド灯１６の点灯状態では天井灯１５からの光およびチルド灯１６からの光のそれぞれが冷蔵室２の壁面等によって反射され、冷蔵室２内の全域が照明される。
［３］Ｒドア８の閉鎖状態でＶドア１１が非閉鎖状態とされた場合にはドアセンサ１３がオフ状態となる。このドアセンサ１３のオフ状態では制御回路が天井灯１５およびチルド灯１６を点灯状態とする。これら天井灯１５およびチルド灯１６の点灯状態では天井灯１５からの光およびチルド灯１６からの光のそれぞれが窓１７を通して野菜室３内に照射される。この窓１７からの光は野菜容器１２の引出し途中状態で野菜容器１２の上面を通して野菜容器１２内に進入するものであり、野菜容器１２の引出し途中状態では野菜容器１２内が窓１７からの光で照明される。この窓１７からの光は野菜容器１２の引出し状態で野菜容器１２の上面を通して野菜容器１２内に進入するものであり、野菜容器１２の引出し状態でも野菜容器１２内が窓１７からの光で照明される。
［４］Ｒドア８およびＶドア１１の双方が非閉鎖状態とされた場合にはドアセンサ１３がオフ状態となる。このドアセンサ１３のオフ状態では制御回路が天井灯１５およびチルド灯１６を点灯状態とし、冷蔵室２内を天井灯１５およびチルド灯１６からの光で照明し、野菜室３内および野菜室１２内を窓１７からの光で照明する。
【００２４】
上記実施例１によれば次の効果を奏する。
Ｖドア１１の非閉鎖状態で天井灯１５およびチルド灯１６から窓１７を通して野菜容器１２内に光を照射した。従って、野菜容器１２内を居室内の明りのみで照明していた従来に比べて野菜容器１２内が明るくなるので、野菜容器１２内の視認性が高まる。しかも、Ｒドア８およびＶドア１１間の相対的な位置関係に応じてドアセンサ１３をオン状態またはオフ状態とした。従って、Ｖドア１１の開閉をＲドア８と共通のドアセンサ１３で検出することができるので、Ｖドア１１用の専用センサを追加することなく野菜容器１２内を明るく照明することができる。
【００２５】
Ｖドア１１の開放状態で天井灯１５およびチルド灯１６から窓１７を通して野菜容器１２内に光を照射したので、Ｖドア１１の開放状態であっても野菜容器１２内を容易に視認することができる。しかも、Ｖドア１１の開放状態で野菜容器１２を引出し状態とし、野菜容器１２の引出し状態で天井灯１５およびチルド灯１６から窓１７を通して野菜容器１２内に光を照射したので、野菜容器１２の引出し状態であっても野菜容器１２内を容易に視認することができる。
【００２６】
Ｖドア１１の非閉鎖状態でチルド灯１６を点灯状態とした。従って、チルド灯１６からの光が後から前へ斜め下に向けて進行することに応じて窓１７から野菜容器１２内に効率的に照射されるので、野菜容器１２内の視認性が高まる。
【００２７】
Ｒドア８の閉鎖状態で複数の棚板５および複数のドアポケット９間に光通路１０を形成し、窓１７を一部が光通路１０に面する配置とした。従って、Ｒドア８の閉鎖状態でＶドア１１が非閉鎖状態とされた場合に特に天井灯１５からの光が光通路１０から窓１７を通して野菜容器１２内に照射されるので、棚板５上の食品およびドアポケット９内の食品に邪魔されることなく野菜容器１２内を明るく照明することができる。
【００２８】
冷蔵室２の天井灯１５およびチルド灯１６から窓１７を通して野菜容器１２内に光を照射したので、野菜容器１２内を専用の照明器なしで照明することができる。
【実施例２】
【００２９】
野菜容器１２には、図３に示すように、切欠部２１が形成されている。この切欠部２１は野菜容器１２の後端部に位置するものであり、野菜容器１２の左板と後板と右板のそれぞれの一部を切欠いた形状をなしている。この野菜容器１２には採光板２２が固定されている。この採光板２２は切欠部２１を塞ぐ無色透明なものであり、Ｖドア１１の開放状態および野菜容器１２の引出し状態では窓１７からの光が野菜容器１２の上面に加えて採光板２２から野菜容器１２内に進入する。この採光板２２は採光部に相当する。
【００３０】
窓１７には、図３に示すように、光拡散部２３が形成されている。この光拡散部２３は凹凸状をなすものであり、天井灯１６からの光およびチルド灯１６からの光を放射状に拡散させる。
【００３１】
上記実施例２によれば次の効果を奏する。
Ｖドア１１の開放状態および野菜容器１２の引出し状態で窓１７からの光を野菜容器１２内に採光板２２を通して取込んだので、野菜容器１２内に取込むことができる光量が増える。従って、野菜容器１２内が明るく照明されるので、野菜容器１２内の視認性が高まる。
【００３２】
窓１７に光拡散部２３を設けたので、天井灯１５およびチルド灯１６からの光が窓１７を透過するときに拡散される。従って、窓１７に光拡散部２３がない場合に比べて野菜容器１２内の大きな領域が照明されるので、野菜容器１２内の視認性が高まる。
【００３３】
上記実施例２においては、野菜容器１２から採光板２２を廃止し、Ｖドア１１の開放状態で窓１７からの光を野菜容器１２内に切欠部２１を通して取込んでも良い。この場合には切欠部２１が採光部に相当する。
【００３４】
上記実施例１〜２においては、Ｖドアスイッチを追加しても良い。このＶドアスイッチはＶドア１１が閉鎖状態にあるか否かに応じて電気的な状態が切換わるものであり、制御回路はＶドアスイッチの電気的な状態に応じてＶドア１１が閉鎖状態にあるか否かを判断する。この構成の場合にはドアセンサ１３のオフ状態でＶドア１１の非閉鎖状態が判断されることに応じて天井灯１５およびチルド灯１６を点灯状態とし、ドアセンサ１３のオフ状態でＶドア１１の閉鎖状態が判断されることに応じて天井灯１５およびチルド灯１６の一部を点灯状態とすると良い。即ち、Ｖドア１１の非閉鎖状態ではＲドア８が非閉鎖状態にあるか否かに拘らず天井灯１５およびチルド灯１６を点灯状態とし、Ｒドア８の非閉鎖状態およびＶドア１１の閉鎖状態では冷蔵室２内の複数の照明器のうち一部を点灯状態にすると良い。
【実施例３】
【００３５】
仕切壁４には、図４に示すように、仕切灯３１が固定されている。この仕切灯３１はＬＥＤからなるものであり、野菜室３内に配置されている。この仕切灯３１は制御回路に接続されており、制御回路はドアセンサ１３のオン状態では天井灯１５とチルド灯１６と仕切灯３１を消灯状態とし、ドアセンサ１３のオフ状態では天井灯１５〜仕切灯３１を点灯状態とする。この仕切灯３１は後から前へ斜め下に向けて光を投射するものであり、Ｖドア１１の非閉鎖状態では仕切灯３１から窓１７を介することなく野菜容器１２の上面および採光板２２を通して野菜容器１２内に光が照射される。この仕切灯３１は別の照明器に相当する。
【００３６】
上記実施例３によれば次の効果を奏する。
野菜容器１２内を仕切壁４の仕切灯３１からの光で照明した。従って、野菜容器１２内を窓１７からの光のみで照明する場合に比べて野菜容器１２内が明るく照明されるので、野菜容器１２内の視認性が高まる。
【００３７】
上記実施例３においては、仕切灯３１に換えて扉灯を設けても良い。この扉灯はＲドア８の下端部に設けられたものであり、上から下へ斜め前に向けて光を投射する。この構成の場合にはドアセンサ１３のオフ状態で天井灯１５とチルド灯１６と扉灯を点灯状態とし、扉灯から野菜容器１２の上面を通して野菜容器１２内に光を照射することが好ましい。
【００３８】
上記実施例３においては、Ｖドアスイッチを追加しても良い。この構成の場合にはドアセンサ１３のオフ状態でＶドア１１の閉鎖状態が判断されることに応じて天井灯１５およびチルド灯１６を仕切灯３１の消灯状態で点灯状態とし、ドアセンサ１３のオフ状態でＶドア１１の非閉鎖状態が判断された場合には天井灯１５とチルド灯１６と仕切灯３１を点灯状態とすると良い。即ち、Ｖドア１１の非閉鎖状態ではＲドア８が非閉鎖状態にあるか否かに拘らず天井灯１５〜仕切灯３１を点灯状態とし、Ｒドア８の非閉鎖状態およびＶドア１１の閉鎖状態では冷蔵室２内の複数の照明器のうち一部を点灯状態にすると良い。
【実施例４】
【００３９】
キャビネット１には、図５に示すように、Ｒドア８に換えてＲＬドア４１およびＲＲドア４２が装着されている。ＲＬドア４１は左端部の垂直な軸４３を中心に閉鎖状態および開放状態間で回転可能にされたものであり、ＲＲドア４２は右端部の垂直な軸４４を中心に閉鎖状態および開放状態間で回転可能にされたものであり、冷蔵室２の前面はＲＬドア４１およびＲＲドア４２の双方の閉鎖状態で気密状態に閉鎖される。このＲＬドア４１は他方の扉および上側の扉に相当し、ＲＲドア４２は別の扉に相当する。
【００４０】
ＲＬドア４１内には、図５に示すように、ドアセンサ１３が固定されている。このドアセンサ１３はＲＬドア４１およびＶドア１１の双方の閉鎖状態でＶドア１１の永久磁石１４を検出してオン状態となるものであり、ＲＬドア４１およびＶドア１１の一方の非閉鎖状態ではＶドア１１の永久磁石１４を検出できずにオフ状態となり、ＲＬドア４１およびＶドア１１の双方の非閉鎖状態でもＶドア１１の永久磁石１４を検出できずにオフ状態となる。
【００４１】
制御回路はＲＬドア４１およびＶドア１１の双方の閉鎖状態ではドアセンサ１３のオン状態を検出することに応じて天井灯１５およびチルド灯１６を消灯状態とする。この制御回路はＲＬドア４１およびＶドア１１の一方の非閉鎖状態ではドアセンサ１３のオフ状態を検出することに応じて天井灯１５およびチルド灯１７を点灯状態とし、ＲＬドア４１およびＶドア１１の双方の非閉鎖状態でもドアセンサ１３のオフ状態を検出することに応じて天井灯１５およびチルド灯１６を点灯状態とする。
【００４２】
ＲＬドア４１には、図５に示すように、上下方向に並ぶ複数のＲＬドアポケット４５が固定され、ＲＲドア４２には上下方向に並ぶ複数のＲＲドアポケット４６が固定されている。これら複数のＲＬドアポケット４５および複数のＲＲドアポケット４６のそれぞれは無色透明なものであり、複数のＲＬドアポケット４５はＲＬドア４１の閉鎖状態での後面に配置され、複数のＲＲドアポケット４６はＲＲドア４２の閉鎖状態での後面に配置されている。これら複数のＲＬドアポケット４５および複数のＲＲドアポケット４６のそれぞれは食品ポケットに相当する。
【００４３】
冷蔵室２内には、図５に示すように、ＲＬドア４１およびＲＲドア４２の双方の閉鎖状態で光通路４７が形成される。この光通路４７は複数のＲＬドアポケット４５および複数のＲＲドアポケット４６間の縦長な空間を称するものであり、天井灯１５は冷蔵室２の天井面に光通路４７に面して配置されている。窓１７は一部が仕切壁４に光通路４７に面して配置されており、窓１７の残り部分はＲＬドアポケット４５またはＲＲドアポケット４６または棚板５に下から対向配置されている。これら天井灯１５および窓１７は光通路４７を介して上下方向に対向するものであり、ＲＬドア４１およびＲＲドア４２の双方の閉鎖状態では天井灯１５からの光が光通路４７を通して窓１７に供給される。
【００４４】
上記実施例４によれば次の効果を奏する。
ＲＬドア４１およびＲＲドア４２の双方の閉鎖状態で複数のＲＬドアポケット４５および複数のＲＲドアポケット４６間に光通路４７を形成し、窓１７を一部が光通路４７に面する配置とした。従って、ＲＬドア４１およびＲＲドア４２の双方の閉鎖状態でＶドア１１が非閉鎖状態とされた場合に特に天井灯１５からの光が光通路４７を通して窓１７に供給されるので、ＲＬドアポケット４５内の食品およびＲＲドアポケット４６内の食品に邪魔されることなく野菜容器１２内を明るく照明することができる。
【００４５】
上記実施例４においては、ＲＲドア４２内にドアセンサ１３を固定し、Ｖドア１１およびＲＲドア４２間の相対的な位置関係に応じてＶドア１１の永久磁石１４をドアセンサ１３の検出領域に対して進退させても良い。
【００４６】
上記実施例１〜４においては、窓１７を全部が光通路１０または光通路４７に面する配置としても良い。
上記実施例１〜４においては、野菜容器１２の全体を透光性の合成樹脂またはガラスを材料に成形しても良い。
【００４７】
上記実施例１〜４においては、仕切壁４の全体を透光性の部材としても良い。
上記実施例１〜４においては、仕切壁４に窓１７に換えて開口部を設けても良い。この開口部は天井灯１５およびチルド灯１６からの光を野菜容器１２内に照射するものであり、透光部に相当する。この構成の場合には開口部内に格子状の柵部材を設け、冷蔵室２内の食品が開口部から下へ落下することを柵部材によって防止することが好ましい。
【００４８】
上記実施例１〜３においては、ホールＩＣからなるドアセンサ１３に換えて光センサを用い、永久磁石に換えて反射部材を用いても良い。この構成の場合にはＲドア８およびＶドア１１の双方の閉鎖状態のみで光センサからの光を反射部材によって反射することに応じて光センサに入射させることが好ましい。これは実施例４についても同様である。
【００４９】
上記実施例１〜３においては、Ｖドア１１側にドアセンサ１３を固定し、Ｒドア８側に永久磁石１４を固定しても良い。これは実施例４についても同様である。
上記実施例１〜４においては、本発明を左貯蔵室および右貯蔵室を有する冷蔵庫に適用しても良い。これら左貯蔵室および右貯蔵室は垂直な仕切壁を介して左右方向に隣接するものであり、左貯蔵室に対しては左扉が設けられ、右貯蔵室に対しては右扉が設けられている。これら左扉および右扉の一方には永久磁石１４が設けられ、他方にはドアセンサ１３が設けられており、ドアセンサ１３は左扉および右扉の双方の閉鎖状態でのみ永久磁石１４を検出してオン状態となる。この構成の場合には左貯蔵室および右貯蔵室の一方に照明器を設け、ドアセンサ１３のオフ状態で照明器を点灯状態とすることに応じて照明器からの光で左貯蔵室内および右貯蔵室内の一方を照明し、照明器から仕切壁を通して左貯蔵室および右貯蔵室の他方に光を投射することに応じて左貯蔵室内および右貯蔵室内の他方を照明すると良い。
【００５０】
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００５１】
２は冷蔵室（一方の貯蔵室，上側の貯蔵室）、３は野菜室（他方の貯蔵室）、４は仕切壁、５は棚板、８はＲドア（他方の扉，上側の扉）、９はドアポケット（食品ポケット）、１０は光通路、１１はＶドア（一方の扉）、１２は野菜容器（食品容器）、１３はドアセンサ（検出器）、１４は永久磁石（被検出部）、１５は天井灯（照明器）、１６はチルド灯（照明器）、１７は窓（透光部）、２１は切欠部（採光部）、２２は採光板（採光部）、２３は光拡散部、３１は仕切灯（別の照明器）、４１はＲＬドア（他方の扉，上側の扉）、４２はＲＲドア（別の扉）、４５はＲＬドアポケット（食品ポケット）、４６はＲＲドアポケット（食品ポケット）、４７は光通路である。
【図１】
2017072335.tif 000003
【図２】
2017072335.tif 000004
【図３】
2017072335.tif 000005
【図４】
2017072335.tif 000006
【図５】
2017072335.tif 000007